(57)【要約】【課題】公知ナンバーゲーム等の操作や表示手段において、使用者の観察及び使用が便利になるタグを数字のセグメント内に含ませる装置を提供する。【解決手段】  表示装置、入力キー、印刷回路板、コントローラー、駆動装置、及び音声出力装置より構成され、前記表示装置は７セグメント数字を表示すると共に、７つのセグメント内にタグを備え、入力キーは、使用者の入力、選択、及び操作を可能にし、コントローラーは印刷回路板上に設置されると共に、入力キーと接続してなり、入力キーの入力を受けて相関する操作を実行することができ、駆動装置は該印刷回路板上に設置されると共に、コントローラーに接続してなり、コントローラーの制御を受けて該表示装置を駆動し該数字を表示し、音声出力装置は該コントローラーに接続してなり、コントローラーの制御を受けて音声信号を出力するタグを数字のセグメント内に含ませる装置。【選択図】図２
0003119360.tif 000002
【実用新案登録請求の範囲】
【請求項１】
表示装置、入力キー、印刷回路板、コントローラー、駆動装置、及び音声出力装置より構成され、
該表示装置は、７セグメント数字を表示すると共に、７つのセグメント内にタグを備えてなり、
該入力キーは、使用者の入力、選択、及び操作を可能にしてなり、
該印刷回路板は、後述の部材を搭載させてなり、
該コントローラーは、該印刷回路板上に設置されると共に、該入力キーと接続してなり、入力キーの入力を受けて相関する操作を実行することができ、
該駆動装置は、該印刷回路板上に設置されると共に、該コントローラーに接続してなり、該コントローラーの制御を受けて該表示装置を駆動し該数字を表示し、
該音声出力装置は、該コントローラーに接続してなり、コントローラーの制御を受けて音声信号を出力することを特徴としたタグを数字のセグメント内に含ませた装置。
【請求項２】
前記数字の７セグメントはａセグメント，ｂセグメント，ｃセグメント，ｄセグメント，ｅセグメント，ｆセグメント，及びｇセグメントに分けてなり、該ａセグメント，ｂセグメント，ｃセグメント，ｄセグメント，ｅセグメント，ｆセグメント，及びｇセグメントの定義は、全体として８字状の７セグメント表示装置と同等であることを特徴とした請求項１に記載のタグを数字のセグメント内に含ませた装置。
【請求項３】
前記数字の７つのセグメント内は各一つのタグを備えてなることを特徴とした請求項１に記載のタグを数字のセグメント内に含ませた装置。
【請求項４】
前記タグはアラビア数字１〜９或いは他の文字或いは符号によりなることを特徴とした請求項１に記載のタグを数字のセグメント内に含ませた装置。
【請求項５】
前記ａセグメント内はアラビア数字１のタグを備えてなり、該ｂセグメント内はアラビア数字４のタグを備えてなり、該ｃセグメント内はアラビア数字８のタグを備えてなり、該ｄセグメント内はアラビア数字９のタグを備えてなり、該ｅセグメント内はアラビア数字６のタグを備えてなり、該ｆセグメント内はアラビア数字２のタグを備えてなり、該ｇセグメント内はアラビア数字５のタグを備えてなり、該ａ、ｂ、ｆ、及びｇセグメントが囲む空間内はアラビア数字の３のタグ及び、該ｃ，ｄ，ｅ及びｇセグメントが囲む空間内はアラビア数字の７のタグを備えてなることを特徴とした、請求項１に記載のタグを数字のセグメント内に含ませた装置。
【請求項６】
前記数字の下側には選択セグメントを設けてなることを特徴とした請求項１に記載のタグを数字のセグメント内に含ませた装置。
【請求項７】
前記表示装置は液晶表示装置にてなることを特徴とした請求項１に記載のタグを数字のセグメント内に含ませた装置。
【請求項８】
前記表示装置はゲームレベル、アラーム、時間、メロディ、ベル等の文字数字及び符号を表示することを特徴とした請求項１に記載のタグを数字のセグメント内に含ませた装置。
【請求項９】
筐体を設けてなり、該筐体に前記装置の部材を収納し装置を保護することを特徴とした請求項１に記載のタグを数字のセグメント内に含ませた装置。
【請求項１０】
実行プッシュボタンを備えてなり、該プッシュボタンが押された時、該コントローラーは縦横各列のマス内の数字に重複がないかを検査し、重複がある場合は音声出力装置を通して警告音を出力し、使用者に再入力を促すことができることを特徴とした請求項１に記載のタグを数字のセグメント内に含ませた装置。
【考案の詳細な説明】
【技術分野】
【０００１】
本考案は、タグを数字のセグメント内に含ませ、使用者の観察及び使用を便利にした操作及び表示装置に関する。
【背景技術】
【０００２】
現在流行しているナンバーゲーム装置の中で、例えばナンバープレイスゲーム（ナンバープイレス、ナンプレ）（非特許文献１）は、縦と横の各列９マスには１〜９の予め決められた数字が一つずつ入るが、このゲーム装置が表示する数字はタグの機能を備えておらず、使用者は空いているマスの中に最も考えられる数字を埋め、もし埋めた数字が不正解の場合は、もう一度、新たに正しい数字を入力する必要があり、同じ数字を重複して入力することを避けるため、紙とペンでそれまでに入力した数字を記録しておく必要があり、使用上非常に不便であり、美しさに欠ける所がある。
【非特許文献１】ナンバープレイス10．ハミングバード著．日本文芸社．1999-10-30
【考案の開示】
【考案が解決しようとする課題】
【０００３】
上述の公知技術の問題を解決する為、本考案は、少なくとも一つのタグを数字のセグメント内に含ませ、使用者の観察及び使用を便利にする装置を提供することを目的とする。
【課題を解決するための手段】
【０００４】
上述の目的を達成する為、本考案の数字内にタグを含ませる方法は、下記のステップから構成される。
ステップ１：一つの数字を７セグメントに分けて形成する。
ステップ２：最低一つのタグを該数字のセグメントに含ませる。
ステップ３：全体の８字状の数字とは別に、該数字をセグメントの表示装置に表示する。
上述の目的を達成する為、本考案が表示する数字のタグを含ませる装置は、表示装置、入力キー、コントローラー、駆動装置、及び音声出力装置より構成され、該表示装置は７セグメント数字を表示すると共に、該数字の７セグメント内にタグを備えてなり、該入力キーは使用者の入力、選択及び操作を可能にし、該駆動装置は該コントローラーに接続してなり、該コントローラーの制御を受けて該表示装置を駆動し該数字を表示し、該音声出力装置は、該コントローラーに接続してなり、コントローラーの制御を受けて音声信号を出力する。
【０００５】
すなわち、請求項１の考案は、表示装置、入力キー、印刷回路板、コントローラー、駆動装置、及び音声出力装置より構成され、該表示装置は、７セグメント数字を表示すると共に、７つのセグメント内にタグを備えてなり、該入力キーは、使用者の入力、選択、及び操作を可能にしてなり、該印刷回路板は、後述の部材を搭載させてなり、該コントローラーは、該印刷回路板上に設置されると共に、該入力キーと接続してなり、入力キーの入力を受けて相関する操作を実行することができ、該駆動装置は、該印刷回路板上に設置されると共に、該コントローラーに接続してなり、該コントローラーの制御を受けて該表示装置を駆動し該数字を表示し、該音声出力装置は、該コントローラーに接続してなり、コントローラーの制御を受けて音声信号を出力することを特徴としたタグを数字のセグメント内に含ませた装置である。
【０００６】
請求項２の考案は、前記数字の７セグメントはａセグメント，ｂセグメント，ｃセグメント，ｄセグメント，ｅセグメント，ｆセグメント，及びｇセグメントに分けてなり、該ａセグメント，ｂセグメント，ｃセグメント，ｄセグメント，ｅセグメント，ｆセグメント，及びｇセグメントの定義は、全体として８字状の７セグメント表示装置と同等であることを特徴とした請求項１に記載のタグを数字のセグメント内に含ませた装置である。
請求項３の考案は、前記数字の７つのセグメント内は各一つのタグを備えてなることを特徴とした請求項１に記載のタグを数字のセグメント内に含ませた装置である。
請求項４の考案は、前記タグはアラビア数字１〜９或いは他の文字或いは符号によりなることを特徴とした請求項１に記載のタグを数字のセグメント内に含ませた装置である。
【０００７】
請求項５の考案は、前記ａセグメント内はアラビア数字１のタグを備えてなり、該ｂセグメント内はアラビア数字４のタグを備えてなり、該ｃセグメント内はアラビア数字８のタグを備えてなり、該ｄセグメント内はアラビア数字９のタグを備えてなり、該ｅセグメント内はアラビア数字６のタグを備えてなり、該ｆセグメント内はアラビア数字２のタグを備えてなり、該ｇセグメント内はアラビア数字５のタグを備えてなり、該ａ、ｂ、ｆ、及びｇセグメントが囲む空間内はアラビア数字の３のタグ及び、該ｃ，ｄ，ｅ及びｇセグメントが囲む空間内はアラビア数字の７のタグを備えてなることを特徴とした、請求項１に記載のタグを数字のセグメント内に含ませた装置である。
請求項６の考案は、前記数字の下側には選択セグメントを設けてなることを特徴とした請求項１に記載のタグを数字のセグメント内に含ませた装置である。
請求項７の考案は、前記表示装置は液晶表示装置にてなることを特徴とした請求項１に記載のタグを数字のセグメント内に含ませた装置である。
請求項８の考案は、前記表示装置はゲームレベル、アラーム、時間、メロディ、ベル等の文字数字及び符号を表示することを特徴とした請求項１に記載のタグを数字のセグメント内に含ませた装置である。
請求項９の考案は、筐体を設けてなり、該筐体に前記装置の部材を収納し装置を保護することを特徴とした請求項１に記載のタグを数字のセグメント内に含ませた装置である。
請求項１０の考案は、実行プッシュボタンを備えてなり、該プッシュボタンが押された時、該コントローラーは縦横各列のマス内の数字に重複がないかを検査し、重複がある場合は音声出力装置を通して警告音を出力し、使用者に再入力を促すことができることを特徴とした請求項１に記載のタグを数字のセグメント内に含ませた装置である。
【考案の効果】
【０００８】
本考案によれば、タグを数字のセグメント内に含ませ、この各セグメントによって、１乃至９の数字を仮に表示することができ、その後に、使用者がゲームを実行時に、必要に応じて７セグメント表示器を駆動し一般の１乃至９の数字及びそのタグを表示することができるので、使用者の観察及び使用が便利になり、公知ナンバーゲーム装置の問題を改善することが可能となる。
すなわち、公知ナンバーゲーム装置において、使用者は空いているマスの中に最も考えられる数字を埋めるが、もし埋めた数字が不正解の場合でも簡単に、新たに正しい数字を入力することができ、従来のように、同じ数字を重複して入力することを避けるため、紙とペンでそれまでに入力した数字を記録しておく必要がなく、使用上非常に便利であり、且つ、装置の外観もスマートとなる。
【考案を実施するための最良の形態】
【０００９】
本考案の好適な実施例を図面を参照して説明する。
図１に示すように、本考案の実施例の数字内にタグを含ませる方法は、下記のステップより構成される。
ステップ１：数字を全体の８字状の７セグメントに分けて形成する。
ステップ２：タグを数字のセグメントに含ませる。
ステップ３：全体の８字状の数字とは別に、該数字を各セグメントの表示装置上に表示する。
【００１０】
該ステップ１において、数字１１１は７つのセグメント１１２に分けて形成され、該数字１１１の７つのセグメント１１２は図２示すように、ａ，ｂ，ｃ，ｄ，ｅ，ｆ，及びｇに分けてなり、該ａセグメント，ｂセグメント，ｃセグメント，ｄセグメント，ｅセグメント，ｆセグメント，及びｇセグメントの定義は、公知の全体の８字状の７セグメント表示装置と同等である。
【００１１】
該ステップ２において、タグ１１３を該数字のセグメント内に含ませ、タグ１１３は発光して表示装置を兼ねるものであり、全体として、これらタグ１１３は例としてアラビア数字の１〜９、他の文字或いは符号等にてなり、本考案の実施例では数字１〜９によって説明すると共に、該数字の７セグメント内に含む各タグ１１３は全て唯一性があり、該ａセグメント内はアラビア数字の１のタグを備えてなり、該ｂセグメント内はアラビア数字の４のタグを備えてなり、該ｃセグメント内はアラビア数字の８のタグを備えてなり、該ｄセグメント内はアラビア数字の９のタグを備えてなり、該ｅセグメント内はアラビア数字の６のタグを備えてなり、該ｆセグメント内はアラビア数字の２のタグを備えてなり、該ｇセグメント内はアラビア数字の５のタグを備えてなり、該ａ、ｂ、ｆ、及びｇセグメントが囲む空間内はアラビア数字の３のタグ及び、該ｃ，ｄ，ｅ及びｇセグメントが囲む空間内はアラビア数字の７のタグを備えてなる。このようにして、ａセグメント乃至ｇセグメントが、アラビヤ数字の１、２、４、５、６、８、９のタグとなり、ａセグメント乃至ｇセグメントで囲まれる空間が３、７のタグとなり、１乃至９を仮に発光等で表示する。
この他、該数字の下側には選択セグメント１１４を設けてなり、使用者がゲームを実行時に選択の機能を提供し、使用者の必要に応じて７セグメント表示器を駆動し一般の１乃至９の数字及びそのタグを表示する。
前記ステップ３において、該数字を７セグメント表示器である表示装置上に表示するが、該表示装置は液晶表示装置にてなることが比較的望ましい。
【００１２】
上述の手段により、最大９個のタグ１１３を区別し７セグメント数字１１１の７つのセグメント１１２内に加えることができ、使用者がナンバーゲームで数字を埋める時に区別する必要があるセグメント数字１１１をマス内に入力することができ、例えば、使用者が数字「１」を入力する時、ａセグメントが直ちに表示されると共に、該ａセグメント内は１のタグを備えてなり、使用者に知らせ、使用者が数字「２」を入力する時、ｆセグメントが表示され、ｆセグメント内は２のタグを備えてなり、使用者が数字の「９」を入力する時、ｄが表示され、該ｇセグメント内は５のタグを備えてなり、使用者が紙とペンを使用して数字を記録する苦労を省くことができる。
【００１３】
図３に示すように、本考案の図３の実施例は、図２の表示装置を９×９個配置したもので、表示する数字内にタグを含ませることを可能とする装置１０は、表示装置１１、入力キー１２、印刷回路板１３、コントローラー（印刷回路板制御器）１４、駆動装置１５及び音声出力装置１６から構成される。
該表示装置１１は液晶表示装置にてなり、７セグメント数字１１１を表示可能であると共に、該セグメント数字の７個のセグメント１１２内にタグ１１３を備えてなり、例としてアラビア数字１〜９、他の文字或いは符号等にてなり、該セグメント数字１１１の７個のセグメント１１２内に備える各タグは唯一性があり、該数字１１１の７個のセグメントはａ，ｂ，ｃ，ｄ，ｅ，ｆ，及びｇに分けてなり、該ａ，ｂ，ｃ，ｄ，ｅ，ｆ，及びｇセグメントの定義は公知の全体の８字状の７セグメント表示装置と同等である。
【００１４】
該７セグメント数字１１１のａセグメント１１２内は、例としてアラビア数字「１」のタグを備えてなり、該ｂセグメント１１２内は例としてアラビア数字「４」のタグを備えてなり、該ｃセグメント内は例としてアラビア数字「８」のタグを備えてなり、該ｄセグメント内は例としてアラビア数字「９」のタグを備えてなり、該ｅセグメント内は例としてアラビア数字「６」のタグを備えてなり、該ｆセグメント内は例としてアラビア数字「２」のタグを備えてなり、該ｇセグメント内は例としてアラビア数字「５」のタグを備えてなり、該ａ、ｂ、ｆ、及びｇセグメントが囲む空間内は例としてアラビア数字の「３」のタグ及び、該ｃ，ｄ，ｅ及びｇセグメントが囲む空間内は例としてアラビア数字の「７」のタグを備えてなる。
上述の方式により、１つの７セグメント数字１１１の７つのセグメント１１２内に９つの異なるタグ１１３を備えることが可能である。この他、該数字１１１の下側には選択セグメント１１４を設けてなり、使用者がゲームを実行時に選択の機能を提供し、例えば、ナンバープレイスゲームにおいて、縦と横の各列９マス(合計８１マス)の数字による問題である場合、該選択セグメント１１４は直ぐには表示されず、マスが空欄の状態で、使用者が直ちに数字を埋める必要があれば、該選択セグメント１１４は表示され、７つのセグメント１１２によって数値を表示し、使用者に区別を提供する。
【００１５】
前記入力キー１２は、使用者による入力、選択、及び操作を可能にし、例えば、ゲームのリセット、スタート、セグメント内へタグの入力、電源の起動、シャットダウン等を可能にする。
前記印刷回路板１３は、コントローラー（印刷回路板制御器）１４、駆動装置１５等の部材の搭載に利用される。該コントローラー１４は該印刷回路板１３上に設置されると共に、該入力キー１２を接続してなり、該入力キー１２の入力を受けて相関する操作を実行する。
前記駆動装置１５は該印刷回路板１３上に設置されると共に、コントローラー１４と接続してなり、該コントローラー１４の制御を受けて該表示装置１１を駆動し数字１１１を表示させる。
前記音声出力装置１６は例としてスピーカーにてなり、該コントローラー１４に接続してなり、該コントローラー１４の制御を受けて音声信号を出力する。
前記表示装置１１はゲームレベル１１５、アラーム１１６、時間１１７、メロディ１１８或いはベル１１９等文字、数字や符号を表示することが可能である。
【００１６】
この他、本考案の実施例の装置１０は、更にプッシュボタンを備えてなり、該プッシュボタンが押された時、該コントローラー１４は縦横各列のマス内の数字に重複がないかを検査し、重複がある場合は音声出力装置１６を通して警告音を出力し、使用者に再入力を促すことができる。
また、本考案の実施例は、更に筐体を設けてなり、上述した本装置の部材を収納し装置を保護することが可能である。
したがって、本考案の実施例により、タグを数字のセグメント内に含ませ、使用者の観察及び使用が便利になり、公知ナンバーゲーム装置の問題を改善することが可能である。
【００１７】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができる。
【図面の簡単な説明】
【００１８】
【図１】本考案の数字表記中にタグを含ませる方法のフロー図である。
【図２】本考案の７セグメント数字１１１のセグメント１１２の定義図である。
【図３】本考案の数字タグ中にタグを含む装置の説明図である。
【符号の説明】
【００１９】
１０   本考案の装置
１１   表示装置
１１１ ７セグメント数字
１１２ セグメント
１１３ タグ
１１４ 選択セグメント
１１５ ゲームレベル
１１６ アラーム
１１７ 時間
１１８ メロディ
１１９ ベル
１２   入力キー
１３   印刷回路板
１４   コントローラー（印刷回路板制御器）
１５   駆動装置
１６   音声出力装置
ステップ１  一つの数字を７セグメントに分離する
ステップ２  最低一つのタグを該数字のセグメント内に含ませる
ステップ３  該数字を表示装置上に表示する
【図１】
0003119360.tif 000003
【図２】
0003119360.tif 000004
【図３】
0003119360.tif 000005